(57)【要約】【課題】ベルトコンベアを停止することなく、１名の作業者のみで着脱が可能なリターンローラ用安全カバーを提供する。【解決手段】ベルトコンベアの架台２に付設されて、ベルトコンベアのリターンローラ９２の全体を覆うための安全カバーであって、リターンローラ９２の軸方向Ａに平行な固定端１ａを有し、固定端１ａを中心軸として回動することにより、リターンローラ９２を覆っていない開放状態と、リターンローラ９２を覆っている閉鎖状態との間を移動可能なカバー本体１と、開放状態を保持するための第１固定機構と、閉鎖状態を保持するための第２固定機構と、を備える。【選択図】図１
0003235389.tif 000002
【実用新案登録請求の範囲】
【請求項１】
ベルトコンベアの架台に付設されて、前記ベルトコンベアのリターンローラの全体を覆うための安全カバーであって、
前記リターンローラの軸方向に平行な固定端を有し、前記固定端を中心軸として回動することにより、前記リターンローラを覆っていない開放状態と、前記リターンローラを覆っている閉鎖状態との間を移動可能なカバー本体と、
前記開放状態を保持するための第１固定機構と、
前記閉鎖状態を保持するための第２固定機構と、を備えることを特徴とするリターンローラ用安全カバー。
【請求項２】
前記カバー本体が網目構造であることを特徴とする、請求項１に記載のリターンローラ用安全カバー。
【請求項３】
前記カバー本体は、自由端側に把手を有することを特徴とする請求項１又は２に記載のリターンローラ用安全カバー。
【請求項４】
前記第１固定機構は、前記架台に設けられた第１フックと、前記カバー本体に設けられ、前記第１フックが係合されるフック掛けとから構成されることを特徴とする、請求項１〜３のいずれか１項に記載のリターンローラ用安全カバー。
【請求項５】
前記第１フックは、前記架台に対して回動可能に固定される基端部と、前記フック掛けに係合する先端部とを有し、
前記架台は、前記フック掛けに非係合の状態である前記第１フックの先端部が載置される防振ゴムを有することを特徴とする請求項４に記載のリターンローラ用安全カバー。
【請求項６】
前記第２固定機構は、前記カバー本体に設けられた第２フックと、前記架台に設けられ、前記第２フックが係合されるフック環とから構成されることを特徴とする、請求項１〜５のいずれか１項に記載のリターンローラ用安全カバー。
【請求項７】
前記第１固定機構と前記第２固定機構は、前記リターンローラの軸方向一方端側に配置される、請求項１〜６のいずれか１項に記載のリターンローラ用安全カバー。
【考案の詳細な説明】
【技術分野】
【０００１】
本考案は、鉱石、砂、土、塊状物、粉状物などを搬送するベルトコンベアの保守の際に使用するリターンローラ用安全カバーに関する。
【背景技術】
【０００２】
鉱石、砂、土、塊状物、粉状物などを搬送するベルトコンベアでは、搬送物または搬送物が砕けた粉状物等が折り返した後のベルトの表面に付着したままの場合がある。このような付着物は、振動や衝撃などによってベルトから剥がれ、落下する。特に、ベルトコンベアのリターンローラ部においてはベルトに外力が働くため、付着物はベルトから剥離、落下することが多い。
【０００３】
そのために、ベルトコンベアの保守作業においては、リターンローラの下部のベルトコンベア架台設置面に落下した付着物の掃除が必要となる。この掃除は、多い場合は日に数度行う必要があるが、落下付着物の掃除を行う際にはベルトコンベアを停止しないことが望まれる。そこで、保守作業の際に作業者が回転しているリターンローラに巻き込まれることを防止するために、リターンローラを安全カバーで覆う方法が用いられる。
【０００４】
通常、ベルトコンベアのリターンローラ用安全カバーには、ボルトを用いてベルトコンベアの架台に固定される方式が用いられるために、ベルトコンベアの運転時を含めて常にリターンローラを覆うように設置された状態にある。しかしながら、当該リターンローラ用安全カバーが常時設置されていると、その内部にベルト付着物の落下と固着が生じてしまい、リターンローラの不転によるベルト切損などが生じる場合がある。
【０００５】
そのために、リターンローラ用安全カバーを保守作業時のみに取り付けようとすると、ボルト作業のためにベルトコンベアを停止する必要があり、ベルトコンベアの運転操作が煩雑になると共に、ベルトコンベアの稼働時間の減少に伴うアウトプットの減少や、上下流工程での工程変動を生じさせる場合がある。
【０００６】
さらに、ボルト作業では複数の作業員を必要とし、さらに、ベルトコンベアの設置場所によっては、ベルトの下に潜り込んでのボルト作業の実施が非常に困難な場合もある。
【考案の概要】
【考案が解決しようとする課題】
【０００７】
一般的なリターンローラ用安全カバーは、着脱性に劣ること、着脱時にはベルトコンベアの停止が必要であること、着脱作業では複数名の作業者を要することなどの課題を有しており、ベルトコンベアの保守作業を効率的に実施する上で改良の余地がある。
【０００８】
本考案は、かかる課題の解決方法として、ベルトコンベアを停止することなく、１名の作業者のみで着脱が可能なリターンローラ用安全カバーを提供するものである。
【課題を解決するための手段】
【０００９】
本考案に係るリターンローラ用安全カバーは、
ベルトコンベアの架台に付設されて、前記ベルトコンベアのリターンローラの全体を覆うための安全カバーであって、
前記リターンローラの軸方向に平行な固定端を有し、前記固定端を中心軸として回動することにより、前記リターンローラを覆っていない開放状態と、前記リターンローラを覆っている閉鎖状態との間を移動可能なカバー本体と、
前記開放状態を保持するための第１固定機構と、
前記閉鎖状態を保持するための第２固定機構と、を備えることを特徴とする。
【００１０】
この構成によれば、ベルトコンベアの運転時にはリターンローラからカバー本体を外し、ベルトコンベアの保守作業時にはリターンローラをカバー本体で覆うという、一連のリターンローラ用安全カバーの着脱作業を、スパナやレンチなどの工具を使用することなしに、1名の作業者のみで簡便に行うことができる。
【００１１】
また、本考案に係るリターンローラ用安全カバーにおいて、
前記カバー本体が網目構造であってもよい。
【００１２】
この構成によれば、リターンローラをカバー本体で覆って行われるベルトコンベアの保守作業時に、ベルトコンベアの運転に伴ってカバー本体内に落下したベルト付着物が、ベルトコンベア架台の設置面に落下するようになる。また、カバー本体内にベルト付着物が付着した場合でも、容易に払い落とすことが可能になり、効率的に保守作業を実施することが可能となる。さらに、カバー本体が軽量になるため、リターンローラ用安全カバーの着脱作業の容易性が向上する。
【００１３】
さらに、本考案に係るリターンローラ用安全カバーにおいて、
前記カバー本体は、自由端側に把手を有するものであってもよい。
【００１４】
この構成によれば、カバー本体の開閉操作が小さな力で可能になり、リターンローラ用安全カバーの着脱作業の容易性が向上する。
【００１５】
さらに、本考案に係るリターンローラ用安全カバーにおいて、
前記第１固定機構は、前記架台に設けられた第１フックと、前記カバー本体に設けられ、前記第１フックが係合されるフック掛けとから構成されるものであってもよい。
【００１６】
この構成によれば、カバー本体の開放状態を容易に形成することができ、リターンローラ用安全カバーの着脱作業を、工具を使用することなしに1名の作業者のみで行えることがより確実となる。
【００１７】
さらに、本考案に係るリターンローラ用安全カバーにおいて、
前記第１フックは、前記架台に対して回動可能に固定される基端部と、前記フック掛けに係合する先端部とを有し、
前記架台は、前記フック掛けに非係合の状態である前記第１フックの先端部が載置される防振ゴムを有するものであってもよい。
【００１８】
この構成によれば、ベルトコンベアが稼働している際の振動が第１フックに伝達し難くなり、それによって第１フックの破損や、第１フックからの騒音の発生を抑制することができる。
【００１９】
さらに、本考案に係るリターンローラ用安全カバーにおいて、
前記第２固定機構は、前記カバー本体に設けられた第２フックと、前記架台に設けられ、前記第２フックが係合されるフック環とから構成されるものであってもよい。
【００２０】
この構成によれば、カバー本体の閉鎖状態を容易に形成することができ、リターンローラ用安全カバーの着脱作業を、工具を使用することなしに1名の作業者のみで行えることがより確実となる。
【００２１】
さらに、本考案に係るリターンローラ用安全カバーにおいて、
前記第１固定機構と前記第２固定機構は、前記リターンローラの軸方向一方端側に配置されるものであってもよい。
【００２２】
この構成によれば、リターンローラ用安全カバーの着脱作業を、ベルトコンベアの幅方向の片側で行える。
【考案の効果】
【００２３】
本考案のリターンローラ用安全カバーによれば、リターンローラの軸方向に平行な固定端を中心軸として、リターンローラの全体を覆う大きさのカバー本体が回転可能に設置され、カバー本体が開放状態または閉鎖状態の両状態が簡便に形成できる固定機構を備えているので、安全カバーの着脱作業を、１名の作業者が工具なしに対応できるという優れた効果を奏し得る。
【図面の簡単な説明】
【００２４】
【図１】本考案のリターンローラ用安全カバーの開放状態における平面図と側面図である。図形矢印はコンベアベルトの進行方向を示す。
【図２】本考案のリターンローラ用安全カバーの閉鎖状態における平面図と側面図である。図形矢印はコンベアベルトの進行方向を示す。
【図３】本考案のリターンローラ用安全カバーを構成する網目構造を有するカバー本体である。
【図４】本考案のリターンローラ用安全カバーを構成する第１固定機構の第１フックである。
【図５】本考案のリターンローラ用安全カバーを構成する第２固定機構のフック環である。
【図６】本考案のリターンローラ用安全カバーを構成するカバー本体の取付座である。
【図７】第１フックを載置可能なフック置きである。
【考案を実施するための形態】
【００２５】
以下、本考案の実施形態について添付図面を参照して説明する。なお、以下の各図面は模式的に図示されたものであり、図面上の寸法比は必ずしも実際の寸法比と一致しておらず、各図面間においても寸法比は必ずしも一致していない。
【００２６】
図１はリターンローラ用安全カバーの開放状態における平面図と側面図、図２はリターンローラ用安全カバーの閉鎖状態における平面図と側面図、図３〜図７は各部品図である。
【００２７】
図１に示すように、ベルトコンベアは、コンベアベルト９０と、搬送側のコンベアベルト９０を下側から支持する複数のキャリアローラ９１と、搬送物を搬送後に反転したコンベアベルト９０を下側から支持する複数のリターンローラ９２とを備える。リターンローラ９２の軸方向Ａの両端は、ベルトコンベアの架台２にそれぞれ回転可能に支持されている。
【００２８】
本考案のリターンローラ用安全カバーは、ベルトコンベアの保守作業の際等に作業者の安全のために、リターンローラ９２の全体を覆うためのものである。
【００２９】
リターンローラ用安全カバーは、リターンローラ９２を下方から覆うカバー本体１を備える。カバー本体１は、網目構造を有する矩形部材を側面視で略円弧状に湾曲させたものである。また、カバー本体１は、リターンローラ９２の軸方向端部を覆う網目構造の側壁１ｃを備えてもよい（図３を参照）。カバー本体１は、リターンローラ９２の軸方向Ａに平行な固定端１ａを有する。
【００３０】
カバー本体１の固定端１ａは、ベルトコンベアの架台２に対して取付座１４によって固定される。架台２に固定された固定端１ａを中心として、カバー本体１が回転できるように、取付座１４とカバー本体１の固定端１ａとはヒンジ構造を構成している。カバー本体１は、固定端１ａと反対側の端部に自由端１ｂを有する。
【００３１】
本実施形態では、カバー本体１の固定端１ａの両端をそれぞれ取付座１４によって架台２に固定しているが、架台２にカバー本体１を固定するための取付座の個数は、ベルトコンベアの大きさ、すなわちリターンローラ９２の長さに応じて適宜決めればよい。
【００３２】
カバー本体１は、固定端１ａを中心軸として回動することにより、図１に示すリターンローラ９２を覆っていない開放状態と、図２に示すリターンローラ９２を覆っている閉鎖状態との間を移動可能である。
【００３３】
カバー本体１がリターンローラ９２を覆っていない状態、すなわち、リターンローラ９２が開放状態にある場合、図１に示すように、ベルトコンベアの架台２に設けられた第１フック２１を、カバー本体１に設けられたフック掛け１１に係合することによって、リターンローラ９２の開放状態は保持される。この第１フック２１とフック掛け１１の組合せが、本考案の第１固定機構に相当する。
【００３４】
図１は、後述する図２のリターンローラ９２の閉鎖状態から９０°以上回転したカバー本体１を、カバー本体１に備えられたフック掛け１１に、ベルトコンベアの架台２に設けられた第１フック２１を引っ掛けることによって固定した状態を示している。この第１フック２１とフック掛け１１の係合によって、リターンローラ９２の開放状態時にカバー本体１がブラブラした状態になることを回避することができ、ベルトコンベア周辺での各種作業者に安全な作業環境を提供することができる。
【００３５】
フック掛け１１は、カバー本体１の自由端１ｂから側方に突出する棒状部材である。フック掛け１１は、後述する把手１３の機能を兼ねてもよい。
【００３６】
第１フック２１は、ベルトコンベアの架台２に回転可能な状態で支持される基端部２１ａと、先端が鉤状となった先端部２１ｂとを有する。先端部２１ｂがフック掛け１１に係合する。先端部２１ｂには、第２フック２１の回転操作をしやすくするための持ち手２１ｃが形成されている（図４を参照）。
【００３７】
カバー本体１がリターンローラ９２を覆っている状態、すなわち、リターンローラ９２が閉鎖状態にある場合、第１フック２１の先端部２１ｂは、フック掛け１１に係合しておらず、第１フック２１はブラブラした状態になる。そのため、リターンローラ９２が閉鎖状態にある場合の第１フック２１を固定するために、フック置き２３がベルトコンベアの架台２に備えられていてもよい。フック置き２３で第１フック２１を固定できることによって、リターンローラ９２が閉鎖状態で行われる保守作業において、作業者に安全な作業環境を提供することができる。
【００３８】
フック置き２３は、架台２から側方に突出するように設けられており、フック置き２３の上に第１フック２１の先端部２１ｂが載置される。フック置き２３の先端には、図７に示すように、防振ゴム２３ａが配置されるのが好ましい。ベルトコンベアの運転中は、架台２が微振動するため、第１フック２１が破損したり騒音源となったりする。防振ゴム２３ａを設けることで、第１フック２１に対する架台２の振動の悪影響を抑制できる。
【００３９】
取付座１４は、図６に示すように、カバー本体１の固定端１ａを回転可能に支持する貫通孔１４ａを有する。また、取付座１４は、側方に突出するストッパ１４ｂを有する。ストッパ１４ｂを設けることで、上方に回動したカバー本体１がコンベアベルト９０に接触することを防止できる（図１を参照）。
【００４０】
カバー本体１がリターンローラ９２を覆った状態、すなわち、リターンローラ９２が閉鎖状態にある場合、図２に示すように、カバー本体１に設けられた第２フック１２を、ベルトコンベアの架台２に備えられたフック環２２に係合することによって、リターンローラ９２の閉鎖状態は保持される。この第２フック１２とフック環２２の組合せが、本考案の第２固定機構に相当する。
【００４１】
第２フック１２は、カバー本体１の自由端１ｂから固定端１ａから遠ざかる向きに突出し、先端が鉤状となっている。フック環２２は、矩形環状である。フック環２２の上端は、図５に示すように、取付金具２２０によって架台２の下面に揺動可能に取り付けられる。これにより、第２フック１２をフック環２２に係合することもフック環２２から外すことも容易である。
【００４２】
カバー本体１の回動操作は、カバー本体１を直接に持って操作できるが、カバー本体１に回動操作用の把手１３を備えることで、より確実に操作することができる。そして、把手１３は、カバー本体１の自由端１ｂ側に設けられることで、より小さな力で容易にカバー本体１を回動操作させることができる。
【産業上の利用可能性】
【００４３】
本考案のリターンローラ用安全カバーは、鉱石、砂、土、塊状物、粉状物などの搬送に使用されるベルトコンベアに、有効に利用することができる。
【符号の説明】
【００４４】
１      ：カバー本体
１ａ    ：固定端
１ｂ    ：自由端
２      ：架台
１１    ：フック掛け
１２    ：第２フック
１３    ：把手
１４    ：取付座
１４ａ  ：貫通孔
１４ｂ  ：ストッパ
２１    ：第１フック
２１ａ  ：基端部
２１ｂ  ：先端部
２１ｃ  ：持ち手
２２    ：フック環
２３    ：フック置き
２３ａ  ：防振ゴム
９０    ：コンベアベルト
９１    ：キャリアローラ
９２    ：リターンローラ
２２０  ：取付金具
Ａ      ：軸方向
【図１】
0003235389.tif 000003
【図２】
0003235389.tif 000004
【図３】
0003235389.tif 000005
【図４】
0003235389.tif 000006
【図５】
0003235389.tif 000007
【図６】
0003235389.tif 000008
【図７】
0003235389.tif 000009